(57)【要約】    【課題】  ワンピース形水着の着用者が用便時に小便出口又は大便出口を水着外に露出し易くする。用便時に操作するファスナーが着用者の特定部位に当り難くする。水泳の邪魔になり難くする。    【解決手段】  ワンピース形水着は、身頃部２とパンツ部３とが上下に一続きになっている。パンツ部３は、左右の下側にそれぞれ太腿挿入孔４が開いている。パンツ部３は、太腿挿入孔４の周縁の前部であって腰骨位置５と股部前部６との間の中頃に、ファスナー７で開閉する切れ込み８を設けた。ファスナー７を操作して切れ込み８を開放すると、太腿挿入孔４が拡大可能になる。【選択図】  図１
0003105558.tif 000002
【実用新案登録請求の範囲】
【請求項１】
身頃部とパンツ部とが上下に一続きになっていてパンツ部の左右の下側にそれぞれ太腿挿入孔が開いているワンピース形水着において、
パンツ部は、太腿挿入孔の周縁の前部であって腰骨位置と股部前部との間の中頃に、ファスナーで開閉する切れ込みを設け、切れ込みを開放すると、太腿挿入孔が拡大可能になる構成にしたことを特徴とするワンピース形水着。
【考案の詳細な説明】
【技術分野】
【０００１】
本考案は、ワンピース形の水着であり、女児用に最適なワンピース形水着に関する。
【背景技術】
【０００２】
ワンピース形水着は、身頃部とパンツ部とが上下に一続きになっている。この水着は、着用すると、身体に密着する上、水に濡れると、身体との摩擦力が大きくなって、脱ぎ難くなる。
【０００３】
子供水泳教室において、女児は、ワンピース形水着を着用する。トイレで用を足すとき、特に幼児や小学校低学年児童は、自分一人で、水に濡れたワンピース形水着を太腿まで下すことができない。そこで、先生や母親は、女児がトイレに行く毎に、ワンピース形水着の上げ下げを手伝うことになる。
【０００４】
特許文献１に示されたワンピース形水着は、用便時に水着を上げ下げする手間を省く股割れ型である。これは、パンツ部の下腹部から股部を経て背中部までファスナーで開閉可能にしている。パンツ部は、左右に二つ割りになる。
【０００５】
特許文献２に示されたパンツ形水着は、着替えし易くする横開き型である。これは、左右の両側又は片側の横側を上縁から下縁までファスナーで開閉可能にしている。パンツ形水着は、右半分又は左半分が前後に二つ割りになる。
【０００６】
【特許文献１】実開昭６３−１９５１４号公報
【特許文献２】実開昭５４−２４４１１号公報
【考案の開示】
【考案が解決しようとする課題】
【０００７】
ワンピース形水着の着用者、例えば子供水泳教室における女児は、用便時に、小便出口又は大便出口をパンツ部の外に露出するのに、多くの手間が掛る。
【０００８】
股割れ型のワンピース形水着は、ファスナーがパンツ部の下腹部から股部を経て背中部に渡って付いている。着用者は、ファスナーが下腹部や股部前部、陰部に当って痛みを感ずる。また、ファスナーは、長く、その股下部分と背中部分が着用者の視界外になる。操作し難い。
【０００９】
横開き型のパンツ形水着は、ファスナーが横側に上縁から下縁に渡って付いている。着用者は、ファスナーが腰骨部に当って痛みを感ずる。また、クロール泳法又は背泳ぎを行うとき、手で太腿の横位置まで水を掻く。そのとき、腕が腰骨位置のファスナーに接触し、ファスナーが邪魔になる。
【課題を解決するための手段】
【００１０】
身頃部とパンツ部とが上下に一続きになっていてパンツ部の左右の下側にそれぞれ太腿挿入孔が開いているワンピース形水着において、
パンツ部は、太腿挿入孔の周縁の前部であって腰骨位置と股部前部との間の中頃に、ファスナーで開閉する「切れ込み」ないし「切れ目」を設け、切れ込みを開放すると、太腿挿入孔が拡大可能になる構成にした。
【００１１】
このワンピース形水着の着用者は、用便時に、パンツ部の前下側位置のファスナーを操作して切れ込みを開放する。すると、パンツ部は、切れ込みの開放で太腿挿入孔が拡大可能になる。次に、着用者は、太腿挿入孔の周縁に手を引っ掛け、太腿挿入孔を拡大する。すると、その拡大の位置と向きに応じて、着用者の小便出口又は大便出口がパンツ部の外に露出する。この露出状態で用を足す。
【００１２】
その後、着用者は、太腿挿入孔の周縁から手を離し、ファスナーを操作して切れ込みを閉鎖する。すると、太腿挿入孔が元の状態に戻る。用便中に露出していた着用者の小便出口又は大便出口がパンツ部内に隠れる。
【考案の効果】
【００１３】
ワンピース形水着の着用者は、用便時に、小便出口又は大便出口をパンツ部の外に露出する操作が容易である。
【００１４】
ファスナーは、パンツ部における太腿挿入孔の周縁の前部であって腰骨位置と股部前部との間の中頃に位置する。着用者の腰骨部や股部前部、陰部にファスナーが当り難い。着用者は、クロール泳法や背泳ぎで太腿の横位置まで手で水を掻いたとき、腕や手がファスナーに接触し難い。ファスナーが邪魔にならない。
【００１５】
また、ファスナーは、長くならず、着用者の視界内になる。操作し易い。
【考案を実施するための最良の形態】
【００１６】
ワンピース形水着は、女児用であり、幼児用である。弾性のある合成繊維織物製である。
【００１７】
女児用ワンピース形水着は、図１と図２に示すように、肩紐１付きの身頃部２とパンツ部３とが上下に一続きになっている。パンツ部３は、左右の下側にそれぞれ太腿挿入孔４が開いている。
【００１８】
水着の着用者から見て右側の太腿挿入孔４は、周縁の前部であって腰骨位置５と股部前部６との間の中頃に、ファスナー７で開閉する切れ込み８を設けている。ファスナー７を操作して切れ込み８を開放すると、図３に示すように、太腿挿入孔４が拡大可能になる。
【００１９】
ファスナー７は、スライダーの往復移動で両側のテープ状歯部の噛み合わせと噛み離れを行う線状ファスナーである。切れ込み８は、太腿挿入孔４周縁の前部の中頃から上向きに中央側に傾いて、へそ位置に向って形成されている。
【００２０】
切れ込み８の両側には、それぞれ、ファスナー７の両側のテープ状歯部を縫い付けている。ファスナー７は、図１に示すように、スライダーをテープ状歯部の下端、太腿挿入孔４の周縁側に下降させると、両側のテープ状歯部が噛み合う。即ち、切れ込み８が閉鎖する。逆に、図３に示すように、スライダーをテープ状歯部の上端、へそ位置側に上昇させると、両側のテープ状歯部が噛み離れる。切れ込み８が開放する。即ち、太腿挿入孔４が拡大可能になる。
【００２１】
このワンピース形水着は、着用すると、ファスナー７がパンツ部３の前下側に位置し、着用者の視界内になる。また、ファスナー７は、太腿挿入孔４周縁の前部の中頃に位置する。着用者の腰骨部や股部前部、陰部に当り難い。水泳の邪魔にならない。
【００２２】
ワンピース形水着の着用者、女児は、トイレで用を足すとき、自分の手で自分の視界内にあるファスナー７のスライダーを摘んで上昇させる。すると、図３に示すように、右側の太腿挿入孔４周縁の切れ込み８が開放する。パンツ部３は、右側の太腿挿入孔４が拡大可能になる。次に、着用者の女児は、右側の太腿挿入孔４の周縁に自分の手を引っ掛け、右側の太腿挿入孔４を拡大する。すると、太腿挿入孔４を拡大する位置と向きに応じて、着用者の小便出口と大便出口の一方又は両方がパンツ部３の外に露出する。この露出状態で用を足す。
【００２３】
その後、着用者の女児は、右側の太腿挿入孔４の周縁から手を離し、自分の手で自分の視界内にあるファスナー７のスライダーを摘んで下降させる。すると、図１に示すように、右側の太腿挿入孔４周縁の切れ込み８が閉鎖する。右側の太腿挿入孔４が元の状態に戻る。用便中に露出していた着用者の小便出口、大便出口がパンツ部３内に隠れる。
【００２４】
着用者の女児は、トイレに行く際、先生や母親の手助けを必要としない。
【００２５】
［変形例］
１）上記の実施形態において、ファスナー７で開閉する切れ込み８は、片側の太腿挿入孔４についてのみ設けているが、両側の太腿挿入孔４についてそれぞれ設ける。
２）上記の実施形態において、ファスナー７は、左右に並列したテープ状歯部を線状に噛み合わせる線状ファスナーであるが、上下に重なったフック付きテープを面状に噛み合わせる面状ファスナーにする。
３）上記の実施形態において、ワンピース形水着は、女児用であるが、大人の女性用にする。男児用又は大人の男性用にする。
【図面の簡単な説明】
【００２６】
【図１】本考案の実施形態におけるワンピース形水着の正面図。
【図２】同ワンピース形水着の背面図。
【図３】同ワンピース形水着の切れ込み開放状態の正面図。
【符号の説明】
【００２７】
１  肩紐
２  身頃部
３  パンツ部
４  太腿挿入孔
５  腰骨位置
６  股部前部
７  ファスナー
８  切れ込み、切れ目
【図１】
0003105558.tif 000003
【図２】
0003105558.tif 000004
【図３】
0003105558.tif 000005